(57)【特許請求の範囲】
【請求項１】
複数の端子収容室を有すると共に、可撓性のロックアームを有する雄コネクタハウジングと、この雄コネクタハウジングとの嵌合完了時に前記ロックアームに係止される係止部を有すると共に、前記各端子収容室に収容された一方の端子に電気的に接続される他方の端子を有する雌コネクタハウジングとから成るコネクタにおいて、
前記雌コネクタハウジングに、前記雄コネクタハウジングとの嵌合完了時に振動を吸収する可撓性の振動吸収アームを設ける一方、前記雄コネクタハウジングに、前記雄雌両コネクタハウジングの嵌合途中で前記振動吸収アームを弾性変形させる付勢部と前記嵌合完了時に前記振動吸収アームに接触して該振動吸収アームを前記付勢部との間で保持する接触部をそれぞれ設けたことを特徴とするコネクタ。
【請求項２】
請求項１記載のコネクタであって、
前記雄コネクタハウジングのロックアームの両側に前記付勢部を一対設けると共に、この一対の付勢部に相対向する前記雌コネクタハウジングに前記振動吸収アームを一対設けたことを特徴とするコネクタ。
【発明の詳細な説明】
【０００１】
【発明の属する技術分野】
本発明は、合成樹脂製の雄コネクタハウジングと合成樹脂製の雌コネクタハウジングとを嵌合して成るコネクタに関し、特に、振動吸収構造を備えたコネクタに係わる。
【０００２】
【従来の技術】
この種のコネクタとして、図７〜図１０に示すものが知られている。このコネクタ１′は、複数の端子収容室１１を有すると共に、可撓性のロックアーム１２を有する合成樹脂製で略ブロック状の雄コネクタハウジング１０と、この雄コネクタハウジング１０との嵌合完了時にロックアーム１２のロック突起１３に係止される係止爪２３を有すると共に、上記各端子収容室１１に収容された雌端子１９に電気的に接続される雄端子２９を有する合成樹脂製で箱形の雌コネクタハウジング２０とから構成されている。
【０００３】
そして、図７に示すように、雌コネクタハウジング２０内に雄コネクタハウジング１０を嵌合すると、これら雄，雌コネクタハウジング１０，２０の嵌合完了状態で雌端子１９と雄端子２９が電気的に接続されると共に、雄コネクタハウジング１０のロックアーム１２のロック突起１３が雌コネクタハウジング２０の係止爪２３に係止されて上記嵌合状態がロックされる。
【０００４】
【発明が解決しようとする課題】
しかしながら、前記従来のコネクタ１′では、雌コネクタハウジング２０内に嵌合される雄コネクタハウジング１０がロックアーム１２でのみ雌コネクタハウジング２０に係止されているため、雌コネクタハウジング２０と雄コネクタハウジング１０とにガタ付きがあり、このガタ付きによって雌，雄端子１９，２９に振動が伝わり、微摺動摩耗による抵抗の増大が起こるおそれがあった。
【０００５】
そこで、本発明は、前記した課題を解決すべくなされたものであり、嵌合完了状態での雄雌両コネクタハウジング間のガタ付きを無くして接続される端子相互間の振動を防いで端子の微摺動摩耗を確実に防ぐことができるコネクタを提供することを目的とする。
【０００６】
【課題を解決するための手段】
請求項１の発明は、複数の端子収容室を有すると共に、可撓性のロックアームを有する雄コネクタハウジングと、この雄コネクタハウジングとの嵌合完了時に前記ロックアームに係止される係止部を有すると共に、前記各端子収容室に収容された一方の端子に電気的に接続される他方の端子を有する雌コネクタハウジングとから成るコネクタにおいて、前記雌コネクタハウジングに、前記雄コネクタハウジングとの嵌合完了時に振動を吸収する可撓性の振動吸収アームを設ける一方、前記雄コネクタハウジングに、前記雄雌両コネクタハウジングの嵌合途中で前記振動吸収アームを弾性変形させる付勢部と前記嵌合完了時に前記振動吸収アームに接触して該振動吸収アームを前記付勢部との間で保持する接触部をそれぞれ設けたことを特徴とする。
【０００７】
このコネクタでは、雌コネクタハウジングに嵌合される雄コネクタハウジングがロックアームの係止の他に振動吸収アームにより支えられることによって、嵌合完了状態での雄雌両コネクタハウジング間のガタ付きが無くなり、振動が吸収される。これにより、接続される端子相互間に振動が伝わらなくなり、端子の微摺動摩耗が確実に防止される。
【０００８】
請求項２の発明は、請求項１記載のコネクタであって、前記雄コネクタハウジングのロックアームの両側に前記付勢部を一対設けると共に、この一対の付勢部に相対向する前記雌コネクタハウジングに前記振動吸収アームを一対設けたことを特徴とする。
【０００９】
このコネクタでは、雌コネクタハウジングに嵌合される雄コネクタハウジングが雌コネクタハウジングに設けられた一対の振動吸収アームで支えられるため、嵌合完了状態での雄雌両コネクタハウジング間のガタ付きが確実に吸収され、端子の微摺動摩耗がより確実に防止される。
【００１０】
【発明の実施の形態】
以下、本発明の一実施形態を図面に基づいて説明する。
【００１１】
図１（ａ）は本発明の一実施形態のコネクタの嵌合完了（完全嵌合）時の状態を示す断面図、図１（ｂ）は図１（ａ）中符号Ｂ部分の拡大説明図、図２（ａ）は同コネクタに用いられる雄コネクタハウジングの平面図、図２（ｂ）は同雄コネクタハウジングの正面図、図２（ｃ）は同雄コネクタハウジングの断面図、図３（ａ）は同コネクタに用いられる雌コネクタハウジングの平面図、図３（ｂ）は同雌コネクタハウジングの正面図、図３（ｃ）は同雌コネクタハウジングの断面図、図４は同雌コネクタハウジングの斜視図、図５は同コネクタの嵌合初期の状態を示す断面図、図６は同コネクタの嵌合途中の状態を示す断面図である。
【００１２】
図１（ａ），図５，図６に示すように、コネクタ１は、複数の端子収容室１１を有すると共に、可撓性のロックアーム１２を有する合成樹脂製で略ブロック状の雄コネクタハウジング１０と、この雄コネクタハウジング１０との嵌合完了時にロックアーム１２のロック突起（係止部）１３に係止される係止爪（係止部）２３を有すると共に、上記各端子収容室１１に収容された雌端子（一方の端子）１９に電気的に接続される雄端子（他方の端子）２９を有する合成樹脂製で箱形の雌コネクタハウジング２０とから構成されている。
【００１３】
図１（ａ）及び図２（ａ），（ｂ），（ｃ）に示すように、雄コネクタハウジング１０の上面の中央には凹部１４を形成してあり、該凹部１４の前側より後側にかけて断面略Ｕ字状の可撓性のロックアーム１２を一体突出形成してある。さらに、雄コネクタハウジング１０の凹部１４の中央より後方の両側にはロックアーム１２のロック外し操作部１２ａとロック突起１３との間を保護するブリッジ部１５を掛け渡してある。
【００１４】
また、ロックアーム１２の両側には雄，雌コネクタハウジング１０，２０の嵌合途中で該雌コネクタハウジング２０の後述する振動吸収アーム２６を弾性変形させる付勢部１６をそれぞれ一体突出形成してある。さらに、凹部１４のブリッジ部１５の下方の両側面には雄，雌コネクタハウジング１０，２０の嵌合完了時に雌コネクタハウジング２０の振動吸収アーム２６に接触して該振動吸収アーム２６を上記一対の付勢部１６，１６との間で保持する接触部１７をそれぞれ一体突出形成してある。尚、図２（ｂ）に示すように、雄コネクタハウジング１０の片側の下面から中央には位置決め用の切欠部（凹部）１８を形成してある。
【００１５】
図１（ａ）及び図３（ａ），（ｂ），（ｃ）に示すように、雌コネクタハウジング２０の底壁２０ａの雄コネクタハウジング１０の各端子収容室１１に相対向する位置には棒状の雄端子２９を圧入する取付孔２１をそれぞれ形成してある。また、雌コネクタハウジング２０の上側壁２０ｂの中央前側には凹部２２を形成してあり、該凹部２２より下方に係止爪２３を一体突出形成してある。
【００１６】
さらに、図３（ａ），（ｂ），（ｃ）及び図４に示すように、雌コネクタハウジング２０の底壁２０ａの雄コネクタハウジング１０の一対の付勢部１６，１６に相対向する位置には、該雄コネクタハウジング１０との嵌合完了時に振動を吸収する可撓性の振動吸収アーム２６をそれぞれ一体突出形成してある。この一対の振動吸収アーム２６，２６は先端側が薄肉になった板状になっていて、雌コネクタハウジング２０の下側壁２０ｃに沿って平行になるように開口側に突出している。尚、図３（ｂ）に示すように、雌コネクタハウジング２０の底壁２０ａ上には雄コネクタハウジング１０の位置決め用の切欠部１８に嵌合する位置決め用のリブ（凸部）２８を一体突出形成してある。
【００１７】
以上実施形態のコネクタ１によれば、雌コネクタハウジング２０内に雄コネクタハウジング１０を嵌合すると、図５，図６に示すように、その嵌合途中において、雌コネクタハウジング２０の一対の振動吸収アーム２６，２６が雄コネクタハウジング１０のロックアーム１２の両側の一対の付勢部１６，１６により下方に撓み変形する。そして、図１（ａ）に示すように、雄，雌コネクタハウジング１０，２０の嵌合が完了すると、雄コネクタハウジング１０のロックアーム１２のロック突起１３が雌コネクタハウジング２０の係止爪２３に係止されて該嵌合状態がロックされて雌端子１９と雄端子２９とが電気的に接続される。この際、振動吸収アーム２６は上側壁２０ｂ側に弾性変形して付勢部１６と接触部１７との間で保持される。
【００１８】
このように、雌コネクタハウジング２０に嵌合される雄コネクタハウジング１０をロックアーム１２で係止すると共に振動吸収アーム２６により支えるようにしたので、嵌合完了状態での雄，雌コネクタハウジング１０，２０間のガタ付きを無くすことができて振動を吸収することができる。これにより、接続される端子１９，２９相互間に振動が伝わらなくなり、端子１９，２９の微摺動摩耗を確実に防止することができる。特に、雌コネクタハウジング２０に嵌合される雄コネクタハウジング１０を雌コネクタハウジング２０の底壁２０ａより突設された一対の振動吸収アーム２６，２６で確実に支えるようにしたので、嵌合完了状態での雄，雌コネクタハウジング１０，２０間のガタ付きを確実に吸収して無くすことができ、端子１９，２９の微摺動摩耗をより確実に防止することができる。
【００１９】
尚、前記実施形態によれば、雌端子をも設けた雄コネクタハウジングと雄端子を設けた雌コネクタハウジングとが嵌合する場合について説明したが、これに限るものではなく、雄端子を設けた雄コネクタハウジングと雌端子を設けた雌コネクタハウジングとが嵌合する場合等、各種の態様が可能である。
【００２０】
【発明の効果】
以上説明したように、請求項１の発明によれば、雌コネクタハウジングに嵌合される雄コネクタハウジングをロックアームで係止すると共に振動吸収アームにより支えるようにしたので、嵌合完了状態での雄雌両コネクタハウジング間のガタ付きを無くすことができて振動を吸収することができる。これにより、接続される端子相互間に振動が伝わらなくなり、端子の微摺動摩耗を確実に防止することができる。
【００２１】
請求項２の発明によれば、雌コネクタハウジングに嵌合される雄コネクタハウジングを雌コネクタハウジングに設けられた一対の振動吸収アームで支えるようにしたので、嵌合完了状態での雄雌両コネクタハウジング間のガタ付きを確実に吸収して無くすことができ、端子の微摺動摩耗をより確実に防止することができる。
【図面の簡単な説明】
【図１】（ａ）は本発明の一実施形態のコネクタの嵌合完了の状態を示す断面図、（ｂ）は同図（ａ）中符号Ｂ部分の拡大説明図である。
【図２】（ａ）は上記コネクタに用いられる雄コネクタハウジングの平面図、（ｂ）は同雄コネクタハウジングの正面図、（ｃ）は同雄コネクタハウジングの断面図である。
【図３】（ａ）は上記コネクタに用いられる雌コネクタハウジングの平面図、（ｂ）は同雌コネクタハウジングの正面図、（ｃ）は同雌コネクタハウジングの断面図である。
【図４】上記雌コネクタハウジングの斜視図である。
【図５】上記コネクタの嵌合初期の状態を示す断面図である。
【図６】上記コネクタの嵌合途中の状態を示す断面図である。
【図７】従来のコネクタの嵌合完了の状態を示す断面図である。
【図８】（ａ）は上記従来のコネクタに用いられる雄コネクタハウジングの平面図、（ｂ）は同雄コネクタハウジングの正面図、（ｃ）は同雄コネクタハウジングの断面図である。
【図９】（ａ）は上記従来のコネクタに用いられる雌コネクタハウジングの平面図、（ｂ）は同雌コネクタハウジングの正面図、（ｃ）は同雌コネクタハウジングの断面図である。
【図１０】上記従来の雌コネクタハウジングの斜視図である。
【符号の説明】
１  コネクタ
１０  雄コネクタハウジング
１１  端子収容室
１２  可撓性のロックアーム
１６，１６  一対の付勢部
１７，１７  一対の接触部
１９  雌端子（一方の端子）
２０  雌コネクタハウジング
２３  係止爪（係止部）
２６，２６  一対の振動吸収アーム
２９  雄端子（他方の端子）
【図１】
0003665223.tif 000002
【図２】
0003665223.tif 000003
【図３】
0003665223.tif 000004
【図４】
0003665223.tif 000005
【図５】
0003665223.tif 000006
【図６】
0003665223.tif 000007
【図７】
0003665223.tif 000008
【図８】
0003665223.tif 000009
【図９】
0003665223.tif 000010
【図１０】
0003665223.tif 000011